(57)【要約】【課題】画像や音声等の異なる種類のデータを含むマルチメディアデータを同期性やリアルタイム性を損なうことなく送受信することのできるルータ装置を提供すること。【解決手段】ＴＶ電話機７からの受信データは、ルータ部１２を介して、最終的にはフォーマット変換部１７に入力されて圧縮や伸張等のデータ加工を受け、その後、データ種別分離部１６に入力されて画像データと音声データが分離され、この分離後の各々のデータはバケット化され、最終的にはＬＡＮに接続されたＩＰカメラやＩＰ電話機等のネットワーク機器に転送される。ＴＶ電話機７への送信データも、同様に、データ加工やデータ分離、パケット化がなされてルータ部１２を介してインターネット等のＷＡＮ８上に送信される。【選択図】    図２
2005033583.tif 000002
【特許請求の範囲】
【請求項１】
ＷＡＮに接続された通信端末と、それぞれ異なるプライベートアドレスが割り当てられＬＡＮに接続された複数のネットワーク端末との間で、異なる種類のデータを含むマルチメディアデータを送受信するルータ装置であって、
前記通信端末から受け取ったマルチメディアデータをデータ種別毎に分離する第１のデータ種別分離手段と、
前記第１のデータ種別分離手段によって分離された各データの送信先アドレスを前記ＬＡＮに接続された対応するネットワーク機器のプライベートアドレスに変換する第１のアドレス変換手段と、
前記第１のアドレス変換手段によって設定された宛先のネットワーク機器に各データを送出する第１のデータ送出手段と、
前記ＬＡＮに接続された各ネットワーク端末から受け取ったデータをデータ種別毎に分離する第２のデータ種別分離手段と、
前記第２のデータ種別分離手段によって分離された各データを所定のフォーマットに変換するフォーマット変換手段と、
前記フォーマット変換手段によってフォーマット変換された各データの同期性およびリアルタイム性を確保しつつ同一のマルチメディアデータとするマルチメディアデータ生成手段と、
前記マルチメディアデータの送信元アドレスを当該ルータ装置のグローバルアドレスに変換する第２のアドレス変換手段と、
前記マルチメディアデータ生成手段によって生成されたマルチメディアデータを所定の通信端末に送出する第２のデータ送出手段と、
を備えたことを特徴とするルータ装置。
【請求項２】
前記複数のネットワーク端末の各々に割り当てられたプライベートアドレスの組を記憶したプライベートアドレス記憶手段を備え、
前記第１のアドレス変換手段は、前記通信端末から受け取ったマルチメディアデータを分離した各データの送信先アドレスを前記プライベートアドレス記憶手段に記憶されている組内のプライベートアドレスに変換し、
前記マルチメディアデータ生成手段は、前記プライベートアドレス記憶手段に記憶されている組内のプライベートアドレスが割り当てられたネットワーク機器からのデータを同一のマルチメディアデータとすることを特徴とする請求項１記載のルータ装置。
【請求項３】
前記プライベートアドレス記憶手段に記憶されたプライベートアドレスの組は、前記ＬＡＮまたは前記ＷＡＮに接続された端末によって変更可能であることを特徴とする請求項２記載のルータ装置。
【請求項４】
コンピュータを請求項１〜３のいずれか一項に記載のルータ装置に含まれる各手段として実現するためのプログラム。
【発明の詳細な説明】
【技術分野】
【０００１】
本発明は、ネットワーク間の接続を行ってデータのルーティングやアドレス変換を行うルータ装置に関する。
【背景技術】
【０００２】
従来のルータ装置としては、例えば、特開平７−３０５７５号公報の「アドレス変換機能を持つルータ」に示されているように、ネットワーク間のＩＰアドレス変換、すなわち、プライベートアドレスをグローバルアドレスに変換するＮＡＴ機能やＩＰマスカレード（ＮＡＰＴ）機能を持つルータ装置がある。さらに、Ｈ．３２３規格を利用して音声や画像、映像、文字等の異なる種類のデータを含むマルチメディアデータをネットワークを介して送受信可能なＴＶ電話端末が存在している。
【特許文献１】特開平７−３０５７５号公報
【発明の開示】
【発明が解決しようとする課題】
【０００３】
しかしながら、上記説明した従来のルータ装置にあっては、マルチメディアデータを送受信する際、音声や画像等の種類毎にルーティングする機能は備わっておらず、所定の一端末に転送するのみであるため、複数端末から送られた種類の異なるデータを関連付けるといった機能を実現できないという問題点があった。
【０００４】
また、映像入出力装置や音声入出力装置といった個々の装置の性能向上は各装置の機能の拡張性のみに依存しているため、ユーザが自分の要求に合わせて容易に拡張することができないという問題点があった。さらに、これらの装置は単一機器に設置するという性格から、機能が限定されるという問題点があった。
【０００５】
本発明は、上記従来の問題点に鑑みてなされたものであって、画像や音声等の異なる種類のデータを含むマルチメディアデータを同期性やリアルタイム性を損なうことなく送受信することのできるルータ装置を提供することを目的としている。
【課題を解決するための手段】
【０００６】
上記目的を達成するために、本発明に係るルータ装置は、ＷＡＮに接続された通信端末と、それぞれ異なるプライベートアドレスが割り当てられＬＡＮに接続された複数のネットワーク端末との間で、異なる種類のデータを含むマルチメディアデータを送受信するルータ装置であって、前記通信端末から受け取ったマルチメディアデータをデータ種別毎に分離する第１のデータ種別分離手段と、前記第１のデータ種別分離手段によって分離された各データの送信先アドレスを前記ＬＡＮに接続された対応するネットワーク機器のプライベートアドレスに変換する第１のアドレス変換手段と、前記第１のアドレス変換手段によって設定された宛先のネットワーク機器に各データを送出する第１のデータ送出手段と、前記ＬＡＮに接続された各ネットワーク端末から受け取ったデータをデータ種別毎に分離する第２のデータ種別分離手段と、前記第２のデータ種別分離手段によって分離された各データを所定のフォーマットに変換するフォーマット変換手段と、前記フォーマット変換手段によってフォーマット変換された各データの同期性およびリアルタイム性を確保しつつ同一のマルチメディアデータとするマルチメディアデータ生成手段と、前記マルチメディアデータの送信元アドレスを当該ルータ装置のグローバルアドレスに変換する第２のアドレス変換手段と、前記マルチメディアデータ生成手段によって生成されたマルチメディアデータを所定の通信端末に送出する第２のデータ送出手段と、を備えている。したがって、画像や音声等の異なる種類のデータを含むマルチメディアデータを同期性やリアルタイム性を損なうことなく送受信することができる。
【０００７】
また、本発明に係るルータ装置は、前記複数のネットワーク端末の各々に割り当てられたプライベートアドレスの組を記憶したプライベートアドレス記憶手段を備え、前記第１のアドレス変換手段は、前記通信端末から受け取ったマルチメディアデータを分離した各データの送信先アドレスを前記プライベートアドレス記憶手段に記憶されている組内のプライベートアドレスに変換し、前記マルチメディアデータ生成手段は、前記プライベートアドレス記憶手段に記憶されている組内のプライベートアドレスが割り当てられたネットワーク機器からのデータを同一のマルチメディアデータとする。したがって、ＬＡＮに接続されるネットワーク端末の構成に自由度を与え、接続される機器を任意に取り替えることができる。
【０００８】
また、本発明に係るルータ装置は、前記プライベートアドレス記憶手段に記憶されたプライベートアドレスの組は、前記ＬＡＮまたは前記ＷＡＮに接続された端末によって変更可能である。したがって、ＬＡＮ側からの機器構成の変更、ＷＡＮ側からの機器構成の変更を容易に行うことができる。
【０００９】
さらに、本発明に係るプログラムは、コンピュータを請求項１〜３のいずれか一項に記載のルータ装置に含まれる各手段として実現するためのものである。
【発明の効果】
【００１０】
本発明に係るルータ装置およびプログラムによれば、画像や音声等の異なる種類のデータを含むマルチメディアデータを同期性やリアルタイム性を損なうことなく送受信することができる。
【発明を実施するための最良の形態】
【００１１】
以下、本発明に係るルータ装置の実施の形態について、図面を参照して詳細に説明する。なお、以下の説明では、本発明に係るルータ装置について詳述するが、本発明に係るプログラムについては、ルータ装置を動作させるためのプログラムであることから、その説明は以下の説明に含まれる。
【００１２】
図１は、本発明に係る一実施形態のルータ装置を含むネットワーク構成図である。同図に示すように、当該ネットワーク構成は、Ｈ．３２３規格に対応したＴＶ電話機７と本実施形態のルータ装置１がインターネット等のＷＡＮ８を介して接続されており、ルータ装置１にはＬＡＮ６を介して複数のネットワーク機器が接続されている。本実施形態においてネットワーク機器とは、それぞれ異なるプライベートアドレス（ＩＰアドレス）が割り当てられ、ＬＡＮ６を介してルータ装置１に接続されたカメラ、表示装置、音声入出力装置等の機器をいう。なお、図１に示すネットワーク構成では、ＬＡＮ６を介してルータ装置１に接続されているネットワーク機器は、ＩＰ画像表示器２、ＩＰカメラ３、ＩＰ電話機４および監視カメラ群５である。
【００１３】
ＴＶ電話機７を用いてＩＰ画像表示器２およびＩＰ電話機４と通信を行う場合、ＴＶ電話機７から送出された画像データおよび音声データは、ルータ装置１によって、画像データはＩＰ画像表示器２へ、音声データはＩＰ電話機４へと分けて送られる。すなわち、ルータ装置１は、画像データのフレームの送信先にＩＰ画像表示器２のプライベートアドレスを割り当て、音声データのフレームの送信先にＩＰ電話機４のプライベートアドレスを割り当てる。一方、ＩＰカメラ３およびＩＰ電話機４から送出されたデータは、ルータ装置１のＮＡＴ機能またはＩＰマスカレード（ＮＡＰＴ）機能によってアドレスが変換され、ＷＡＮ８を介してＴＶ電話機７へと送られる。
【００１４】
図２に、本発明に係る一実施形態のルータ装置の構成を示す。同図に示すように、本実施形態のルータ装置１は、特許請求の範囲の第１のデータ送出手段に該当するＬＡＮ送受信部１１と、第２のアドレス変換手段に該当するＮＡＴ機能部１２１およびＨ．３２３グループ検出部１２２を有するルータ部１２と、プライベートアドレス記憶手段に該当するグループ設定テーブル１３と、ＴＣＰ／ＩＰ部１４と、呼制御部１５と、第１のデータ種別分離手段、第１のアドレス変換手段および第２のデータ種別分離手段に該当するデータ種別分離部１６と、フォーマット変換手段に該当するフォーマット変換部１７と、マルチメディアデータ生成手段に該当するＲＴＰ／ＲＴＣＰ処理部１８と、第２のデータ送出手段に該当するＷＡＮ送受信部１９と、制御部２０と、ＭＭＩ入力部２１と、ＨＴＴＰ変換部２２とを備えて構成されている。なお、ＴＣＰ／ＩＰ部１４は、ＵＤＰ／ＩＰ部であっても良い。
【００１５】
以下、本実施形態のルータ装置が行う動作について説明する。
ＴＶ電話機７と通信を行うにあたって、ＭＭＩ入力部２１より入力されたダイヤル情報は、制御部２０を介して呼制御部１５に通知される。なお、ＭＭＩ入力部２１は、音声入力によって機能を呼び出すためのマルチモーダルインタフェースである。呼制御部１５は、Ｈ．３２３規格による手順に従って、ＴＣＰ／ＩＰ部１４、ルータ部１２およびＷＡＮ送受信部１９を介してＷＡＮ８を経由するアドレスを解決し、ＴＶ電話機７との通信チャネルの確立を行う。
【００１６】
その後、ＷＡＮ８を介してＴＶ電話機７から送られてきたデータはＷＡＮ送受信部１９で受信され、ルータ部１２に送られる。ルータ部１２は当該受信データをＴＣＰ／ＩＰ部１４に送り、ＴＣＰ／ＩＰ部１４はこれをＲＴＰ／ＲＴＣＰ処理部１８に送る。ＲＴＰ／ＲＴＣＰ処理部１８では音声や映像をストリーミング再生するための伝送処理が行われた後、フォーマット変換部１７に送られる。フォーマット変換部１７ではデータの圧縮や伸張等が行われた後、データ種別分離部１６に入力される。
【００１７】
データ種別分離部１６では受信データが画像データと音声データとに分離され、分離後の各データの宛先は、ＬＡＮ６に接続された対応するネットワーク機器（ＩＰ画像表示器２やＩＰ電話機４等）に設定される。そして、ＴＣＰ／ＩＰ部１４でＩＰパケット化された後、ルータ部１２を介して、ＬＡＮ送受信部１１から各々設定されたネットワーク機器に向けてＬＡＮ６に送出される。
【００１８】
一方、ＬＡＮ６に接続された各ネットワーク端末からＴＶ電話機７へ送信するデータは、ＬＡＮ送受信部１１で受信され、ルータ部１２が有するＨ．３２３グループ検出部１２２によってＨ．３２３データが分離される。この分離されたデータ（Ｈ．３２３データ）は、ＴＣＰ／ＩＰ部１４を介してデータ種別分離部１６に送出され、データ種別分離部１６によって画像データと音声データとに分離される。分離されたデータの各々はフォーマット変換部１７に送られ、圧縮処理や伸張処理を行うことによってＴＶ電話機７と通信可能なフォーマットに変換される。
【００１９】
フォーマット変換部１７で変換されたデータは、音声データと画像データを同期させたりフロー制御を行って同一のマルチメディアデータとするＲＴＰ／ＲＴＣＰ処理部１８を介してＴＣＰ／ＩＰ部１４に送られる。なお、ＲＴＰ／ＲＴＣＰ処理部１８では、音声データと画像データの同期やフロー制御を行うに際し、必要なＲＴＰ／ＲＴＣＰデータ（マルチメディアデータ）を生成してＴＣＰ／ＩＰ部１４に送る。ＴＣＰ／ＩＰ部１４は、ＲＴＰ／ＲＴＣＰ処理部１８から受け取ったデータをパケット化して、ルータ部１２のＮＡＴ機能部１２１で送信元アドレスをルータ装置１のグローバルアドレスに変換する。そして、ＷＡＮ送受信部１９からＴＶ電話機７に向けてＷＡＮ８に送出される。
【００２０】
以上説明したように、本実施形態のルータ装置によれば、画像データや音声データ等の種別が異なるデータを含むマルチメディアデータを同期性やリアルタイム性を損なうことなく送受信することができる。したがって、通信先の端末が映像と音声とで分かれていても、ＴＶ電話機７は１つのマルチメディア情報として再生することができる。また、ＬＡＮ６に接続されるネットワーク機器の構成といった点で自由度が高くなるため、様々な形態の構成をとることができる。
【００２１】
なお、グループ設定テーブル１３には、複数のネットワーク端末の各々に割り当てられたプライベートアドレスの組を記憶しており、データ種別分離部１６は、ＴＶ電話機７から受け取ったマルチメディアデータを分離した各データの送信先アドレスをグループ設定テーブル１３に記憶されている組内のプライベートアドレスに変換する。また、ＲＴＰ／ＲＴＣＰ処理部１８は、グループ設定テーブル１３に記憶されている組内のプライベートアドレスが割り当てられたネットワーク機器からのデータを同一のマルチメディアデータとして生成する。
【００２２】
但し、グループ設定テーブル１３に設定されたプライベートアドレスの組は変更可能であり、ＬＡＮ６に接続された端末によっても、また、ＷＡＮ８に接続された端末によっても変更することができる。ＷＡＮ８に接続された端末からの上記変更に際しては、悪意の第三者による改竄を防止するために、変更操作を行うユーザを認証することが望ましい。
【図面の簡単な説明】
【００２３】
【図１】本発明に係る実施形態のルータ装置を含むネットワーク構成図である。
【図２】本発明に係る実施形態のルータ装置の構成を示すブロック図である。
【符号の説明】
【００２４】
１  ルータ装置
２  ＩＰ画像表示器
３  ＩＰカメラ
４  ＩＰ電話機
５  監視カメラ群
６  ＬＡＮ
７  ＴＶ電話機
８  ＷＡＮ
１１  ＬＡＮ送受信部
１２  ルータ部
１３  グループ設定テーブル
１４  ＴＣＰ／ＩＰ部
１５  呼制御部
１６  データ種別分離部
１７  フォーマット変換部
１８  ＲＴＰ／ＲＴＣＰ処理部
１９  ＷＡＮ送受信部
２０  制御部
２１  ＭＭＩ入力部
２２  ＨＴＴＰ変換部
【図１】
2005033583.tif 000003
【図２】
2005033583.tif 000004